(57)【要約】【課題】水流制御式多功能振動マッサージシャワーヘッドの提供。【解決手段】本考案のシャワーヘッドは、内部に偏心水輪を設置し、水流により偏心水輪が旋転する時、シャワーヘッドが振動する以外に、更に、シャワーヘッドの取っ手の長さが伸縮調整でき、使用者は、背部、脚の洗浄や、頭部や肩部等の身体各部のマッサージの操作が便利である。この他、シャワーヘッドは、偏心水輪により帯動される発電発光素子を設置し、シャワーヘッドはライトが点灯し、付加価値がある。本考案が提供する出水頭は、外表面に、スポンジや角質除去材を設置し、使用者は必要に応じて、出水頭を交換して、食器洗浄や身体の美容に用いることができる。【選択図】    図１
0003136225.tif 000002
【実用新案登録請求の範囲】
【請求項１】
水流制御式多功能振動マッサージシャワーヘッド構造であって、中空で、内部に出水道を有する殻体からなり、前記殻体は、複数の出水孔を有し、交換可能な出水頭を設置し、前記出水道は中心軸を有し、前記中心軸は偏心水輪を設置し、前記出水道は前記偏心水輪の切線方向に対応し、前記殻体は中空の取っ手を連接し、水は前記取っ手を通過して、本体に進入して前記偏心水輪に衝撃を与え、最後に、前記出水孔から噴出し、その特徴は、
前記取っ手は、相互に軸向けに穿設連接され、軸向けに相対移動できる第一棒体と第二棒体を有し、
前記殻体は少なくとも一つの発電発光装置を設置し、前記発電発光装置は撓性ロープを連接し、前記撓性ロープは固定ジョイントを有し、前記固定ジョイントは、前記偏心水輪の中心軸と連接固定することができることを特徴とする水流制御式多功能振動マッサージシャワーヘッド構造。
【請求項２】
前記出水道の外表面は食器洗浄用スポンジを設置することを特徴とする請求項１に記載の水流制御式多功能振動マッサージシャワーヘッド構造。
【請求項３】
前記出水道の外表面は角質を除去する研磨剤を結合することを特徴とする請求項２に記載の水流制御式多功能振動マッサージシャワーヘッド構造。
【考案の詳細な説明】
【技術分野】
【０００１】
本考案はシャワーヘッドに関するものであって、特に、マッサージ効果を有し、取っ手長さが調整でき、発光功能を有するシャワーヘッドに関するものである。
【背景技術】
【０００２】
シャワーヘッドはシャワー時に使用する道具であり、大まかに、単純なシャワー功能、及び、シャワーとマッサージ効果を兼ね備えた物の二種類ある。公知のマッサージ式シャワーヘッドは、水マッサージを主とし、即ち、シャワーヘッドの構造設計により、ヘッドを操作する時、出水速度の大小、或いは、形態を制御して、噴出する水が異なる力量、及び、方式により人体に刺激を与え、マッサージ効果を達成する。例えば、出水を制御して水を集中して噴出させ、大きい衝撃力を得るか、或いは、分散して噴出して小さい衝撃力を得るか、或いは、間隔をあけて噴出するマッサージ効果を得る。公知のシャワーヘッドは、シャワーヘッド本体が直接人体に接触してマッサージ効果を提供することができず、その主な理由は、シャワーヘッド本体が振動のマッサージ効果を生成するのに、電動マッサージ器のような構造を採用する必要があることと、電源を提供する必要があるからで、湿気の多い浴室で電源を操作するのは、感電する危険性がある。
【考案の開示】
【考案が解決しようとする課題】
【０００３】
本考案の目的は、公知のシャワーヘッドの構造（中華民国（台湾）特許第M307455案）の欠点を改善するシャワーヘッド構造を提供することにある。
【課題を解決するための手段】
【０００４】
本考案のシャワーヘッドは、  振動マッサージシャワーヘッドの取っ手が使用者自身で長さを調整でき、洗浄したい身体部分への操作を容易にする。
【０００５】
本考案のシャワーヘッドは、発電発光装置を設置し、発電発光装置は、鋼線等、撓性ロープにより偏心水輪に連接され、偏心水輪により発電すると同時に、LED等の発光素子を発光させる。
【考案の効果】
【０００６】
本考案により、マッサージ効果を有し、取っ手長さが調整でき、発光功能を有するシャワーヘッドが提供される。
【考案を実施するための最良の形態】
【０００７】
図１と図２で示されるように、本考案のマッサージヘッドは、本体１内に偏心水輪３と出水道１１を設置し、出水道１１は偏心水輪３の切線方向に対応し、水が出水道１１から流出する時、直接、偏心水輪３を旋転させて、更に、偏心水輪３の偏心設置の特徴により、旋転と同時に、振動を生成し、この振動は、直接、本体１に伝送され、使用者は本体１に連接された取っ手５を握持し、直接、本体１を人体に接触させてマッサージを実行し、マッサージとシャワー効果を兼ね備える。
【０００８】
本考案のシャワーヘッドの好ましい実施例は、本体１と、出水頭２、偏心水輪３、連接頭４と取っ手５を有する。本体１は中空の殻体で、本体１内に第一端と第二端を貫通する出水道１１を有する。本体１の第一端に接近する上方に発電発光装置１２を有し、この発電発光装置１２から撓性ロープ１３を設置する。発電発光装置１２は、相互に電気的に接続する小型の発電機（図示しない）と発光ダイオード（LED）を有する。撓性ロープ１３は、好ましい機械性質を有する鋼線を採用する。撓性ロープ１３の端部は、偏心水輪３の中心軸と連接固定する固定ジョイント１３１を設置し、偏水水輪３が旋転する時、中心軸は同時に、撓性ロープ１３を旋転させ、発電発光装置１２内の小型発電機が電源を生成する共に、電源を発光ダイオードに提供して発光させる。
【０００９】
出水頭２は本体１の第一端に連接される。出水頭２は複数の出水孔２１を有する。出水頭２と本体１の組み合わせ方式は、螺旋方式で相互に結合される。図３で示されるように、本考案は、出水頭２の外部に更に複数の通孔７１を有し、出水頭２の旋転に相対するキャップ７を有する。キャップ７が出水頭２に相対して旋転し、通孔７１と出水孔２１が対応する時、水を流出させる。反対に、通孔７１と出水孔２１が離れている時（図４で示される）、水が流出しない。
【００１０】
本考案の取っ手５の好ましい具体例は、相互に軸向けに穿設連接され、軸向けに相対移動できる第一棒体５１と第二棒体５２を有し、使用者は、第二棒体５２を第一棒体５１の軸向きに移動させて、取っ手５の長さを調整することができる。第一棒体５１は末端に近い位置に止水弁５３を設置し、使用者は止水弁５３により閉鎖し、水を通過させない。
【００１１】
本考案の出水頭は、交換可能な素子であり、図１〜図３の実施例以外に、本考案は、図４で示されるような出水頭６の構造に設計でき、同様に、出水頭６内に前述と相同の偏心水輪３を設置し、出水頭６の出水孔６１の表面は、円弧凸面に設計され、表面に粗雑面６２を形成し、粗雑面６２は、食器洗い用のスポンジを結合するか、或いは、皮膚の角質を除去する研磨剤を結合する。
【図面の簡単な説明】
【００１２】
【図１】本考案のシャワーヘッド構造の断面図である。
【図２】本考案のシャワーヘッドの取っ手長さを延長する実施例図である。
【図３】本考案のシャワーヘッドの出水頭とシャワーヘッド殻体の組み合わせ構造、及び、発電発光装置と偏心水輪の間の連接構造、及び、出水頭にキャップを結合した実施例図である。
【図４】図３のキャップの通孔と出水頭の出水孔が対応していない状態の実施例図である。
【図５】本考案のもう一つの構造の出水頭に変換した断面分解図である。
【図６】図５の素子組み合わせ後の構造の断面図である。
【符号の説明】
【００１３】
１  本体
１１  出水道
１２  発電発行装置
１３  撓性ロープ
１３１  固定ジョイント
２  出水頭        
２１  出水孔
３  偏心水輪
４  連接頭
５  取っ手        
５１  第一棒体
５２  第二棒体
５３  止水弁
６  出水頭
６１  出水孔
６２  粗雑面
７  キャップ
７１  通孔        
【図１】
0003136225.tif 000003
【図２】
0003136225.tif 000004
【図３】
0003136225.tif 000005
【図４】
0003136225.tif 000006
【図５】
0003136225.tif 000007
【図６】
0003136225.tif 000008